(57)【要約】【課題】地上アナログ放送、ＢＳデジタル放送、ＣＳデジタル放送に加え地上デジタル放送が始まり放送メディアが増えることによってユーザーが現在どの放送メディアに対して操作をしているのかが判らなくなったり、操作対象の放送メディアを誤るなどの混乱が発生する。【解決手段】放送メディアを切り換えるボタン１０のそれぞれのボタン１からに４に照明手段を設け、操作中の放送メディアを知らしめるように構成したものである。これにより、どの放送メディアに対して操作を行っているかを明確にすることが出来、ユーザーの操作誤りや混乱を軽減することが出来る。【選択図】図１
2005039716.tif 000002
【特許請求の範囲】
【請求項１】
複数の放送メディアを切り換える指示を送信するリモコン送信機であって、放送メディアを切り換えるボタンに照明手段を設けたことを特徴とするリモコン送信機。
【請求項２】
放送メディア切り換えボタンを押すと前記ボタンの照明手段が点灯することを特徴とする請求項１記載のリモコン送信機。
【請求項３】
複数の放送メディアを切り換える指示を送信する放送メディア切り換えボタンと、数字ボタンを備えるリモコン送信機であって、前記放送メディア切り換えボタンには照明手段を有し、前記数字ボタンを押すと前記放送メディア切り換えるボタンの照明手段が点灯することを特徴とするリモコン送信機。
【発明の詳細な説明】
【技術分野】
【０００１】
本発明は電子機器におけるリモコン送信機に関するものである。
【背景技術】
【０００２】
地上アナログ放送、ＢＳデジタル放送、ＣＳデジタル放送に加え地上デジタル放送が始まり放送メディアが増えることによって、受信機を操作するリモコンボタンが増加し、番組を選局する操作が複雑になってきた。
【０００３】
従来、リモコンに放送切換ボタンを設け、操作対象の放送メディアを選択して数字ボタンにプリセットされたチャンネルを選局していた。例えばＢＳデジタルのチャンネルを選局する場合はＢＳボタンを押してから数字ボタンを押し、ＣＳデジタル放送のチャンネルを選局する場合はＣＳボタンを押してから数字ボタンを押すという操作を行っていた。これは受信機側で現在の操作対象の放送メディアを記憶しておき数字ボタンが押された場合、その対象の放送メディアにおけるプリセットチャンネルを選局していた。
【０００４】
また、操作ボタンに２色の照明手段を設け、そのボタンが操作されていないときに一方の色の照明を行ない、ボタンが操作されたときにもう一方の色の照明を行なうことを特徴とする操作ボタン表示装置があった（例えば、特許文献１参照）。
【特許文献１】実開昭５７−６５４７８号公報（第２図）
【発明の開示】
【発明が解決しようとする課題】
【０００５】
リモコン受光部が一つの機器において受信可能なメディアが、地上アナログ放送、ＢＳデジタル放送、ＣＳデジタル放送に加え地上デジタル放送が増えることによってユーザーが現在どの放送メディアに対して操作をしているのかが判らなくなり、操作対象の放送メディアを誤るなどの混乱が発生する。
【課題を解決するための手段】
【０００６】
この課題を解決するために本発明は、放送メディアを切り換えるリモコンのボタンに照明手段を設け、操作中の放送メディアをリモコンにおいて知らしめるように構成したものである。
【０００７】
これにより、どの放送メディアに対して操作を行っているかを明確にすることが出来、ユーザーのリモコン操作の誤りや混乱を軽減することが出来る。
【発明の効果】
【０００８】
以上のように本発明によれば、どの放送メディアに対して操作を行っているかをリモコン送信機において明確にすることが出来、ユーザーのリモコン送信機の操作誤りや、混乱を軽減することが出来るという有利な効果が得られる。
【発明を実施するための最良の形態】
【０００９】
本発明の発明は、テレビジョン受信機やセットトップボックスで受信可能な複数の放送メディアを切り換えて一組の数字ボタンで選局操作が出来るリモコンにおいて、放送メディアを切り換えるボタンに照明手段を設けたことを特徴としたとしたものであり、どの放送メディアに対して操作を行っているかを明確にすることが出来、ユーザーの操作誤りや混乱を軽減することが出来るという作用を有する。
【００１０】
また本発明は、リモコン受光部が一つのテレビジョン受信機やリモコン受光部が一つのセットトップボックスに対して受信可能な複数の放送メディアを切り換えて一組の数字ボタンで選局操作が出来るリモコンであって、放送メディアを切り換えるボタンに照明を設け、放送メディア切り換えボタンを押すと押したボタンの照明手段が点灯することを特徴としたものであり、どの放送メディアに対して操作を行っているかを明確にすることが出来、ユーザーの操作誤りや混乱を軽減することが出来るという作用を有する。
【００１１】
また本発明は、リモコン受光部が一つのテレビジョン受信機やリモコン受光部が一つのセットトップボックスに対して受信可能な複数の放送メディアを切り換えて一組の数字ボタンで選局操作が出来るリモコンであって、放送メディアを切り換えるボタンに照明手段を設け、数字ボタンを押すと放送メディアを切り換えるボタンが点灯することを特徴としたものであり、どの放送メディアに対して操作を行っているかを明確にすることが出来、ユーザーの操作誤りや混乱を軽減することが出来るという作用を有する。
【００１２】
（実施の形態１）
以下に本発明のリモコン送信機の実施の形態について、図１から図７をもちいて説明する。
【００１３】
図１はリモコン送信機３０の操作部分を示したものであ。図１において放送メディア切換ボタン１０は操作対象の放送メディアを切り換えるもので、地上アナログ放送選択ボタン１と、地上デジタル放送選択ボタン２と、ＢＳデジタル放送選択ボタン３と、ＣＳデジタル放送選択ボタン４とから構成されている。リモコン送信機３０は少なくとも放送メディア切り換えボタン１０と一組の数字ボタン２０とで構成されている。
【００１４】
図２はリモコン送信機３０のハード構成をブロック図で示したもので、リモコン送信機３０はリモコンコード送信用赤外ＬＥＤ４１と、地上アナログ放送選択ボタン１の照明用ＬＥＤ４２と、地上デジタル放送選択ボタン２の照明用ＬＥＤ４３と、ＢＳデジタル放送選択ボタン３の照明用ＬＥＤ４４と、ＣＳデジタル放送選択ボタン４の照明用ＬＥＤ４５と、リモコン操作ボタン４６と、マイコン４７と、ＥＥＰＲＯＭ４８とで構成されている。
【００１５】
地上アナログ放送選択ボタン１に対応する照明手段として照明用ＬＥＤ４２と、地上デジタル放送選択ボタン２に対応する照明手段として照明用ＬＥＤ４３と、ＢＳデジタル放送選択ボタン３に対応する照明手段として照明用ＬＥＤ４４と、ＣＳデジタル放送選択ボタン４に対応する照明手段として照明用ＬＥＤ４５は、本実施の形態ではリモコン送信機３０の内部に備えられており、それぞれの選択ボタンの下部に位置するために、各照明手段が点灯した場合には、それぞれ対応する選択ボタンが点灯するような構成となる。
【００１６】
図３は、地上アナログ放送選択ボタン１を押した際の動作のフローチャートを示し、図７は数字ボタン２０を押した際の動作のフローチャートを示している。
【００１７】
地上アナログ放送を受信したい場合、まずリモコン送信機３０での操作対象を地上アナログ放送用に切り換える為に、リモコン送信機３０の地上アナログ放送選択ボタン１を押す。この結果、リモコン送信機３０の操作対象が地上アナログ放送に切り換わった事を示す照明用ＬＥＤ４２を点滅させる。そして数字ボタン２０のリモコンコードを地上アナログ放送選局用コードに設定し、その情報をＥＥＰＲＯＭ４８に記憶して、地上アナログ放送選択ボタン１のリモコンコードを送信する。この時点で受信機は地上アナログ放送で最後に受像したチャンネルに切り換える。
【００１８】
次に数字ボタン２０のいずれかのボタンを押すと、どの放送メディアに対する操作かをＥＥＰＲＯＭ４８より読み出し、地上アナログ放送を選局していることを示す照明用ＬＥＤ４２を点滅させるとともに、地上アナログ放送選局用の数字ボタンコードを受信機に送信する。
【００１９】
図４は地上デジタル放送選択ボタン２を押した際の動作のフローチャートを示している。地上デジタル放送を受信する場合は、まずリモコンでの操作対象を地上デジタル放送に切り換える為地上デジタル放送選択ボタン２を押す。このとき操作対象が地上デジタル放送に切り換わった事を示す照明用ＬＥＤ４３を点滅させる。そして数字ボタン２０のリモコンコードを地上デジタル放送選局用コードに設定しその情報をＥＥＰＲＯＭ４８に記憶して、地上デジタル放送選択ボタン２のリモコンコードを送信する。この時点で受信機は地上デジタル放送で最後に受像したチャンネルに切り換える。
【００２０】
次に数字ボタン２０のいずれかを押すと、どの放送メディアに対する操作かをＥＥＰＲＯＭ４８より読み出し、地上デジタル放送を選局していることを示す照明用ＬＥＤ４３を点滅させるとともに地上デジタル放送選局用の数字ボタンコードを送信する。
【００２１】
図５はＢＳデジタル放送選択ボタン３を押した際の動作のフローチャートを示している。ＢＳデジタル放送を受信する場合は、まずリモコンでの操作対象をＢＳデジタル放送に切り換える為ＢＳデジタル放送選択ボタン３を押す。このとき操作対象がＢＳデジタル放送に切り換わった事を示す照明用ＬＥＤ４４を点滅させる。そして数字ボタン２０のリモコンコードをＢＳデジタル放送選局用コードに設定しその情報をＥＥＰＲＯＭ４８に記憶して、ＢＳデジタル放送選択ボタン３のリモコンコードを送信する。この時点で受信機はＢＳデジタル放送で最後に受像したチャンネルに切り換える。
【００２２】
次に数字ボタンを押すと、どの放送メディアに対する操作かをＥＥＰＲＯＭ４８より読み出し、ＢＳデジタル放送を選局していることを示す照明用ＬＥＤ４４を点滅させるとともに、ＢＳデジタル放送選局用の数字ボタンコードを送信する。
【００２３】
図６はＣＳデジタル放送選択ボタン４を押した際の動作のフローチャートを示している。ＣＳデジタル放送を受信する場合は、まずリモコンでの操作対象をＣＳデジタル放送に切り換える為ＣＳデジタル放送選択ボタン４を押す。このときリモコン送信機３０の操作対象がＣＳデジタル放送に切り換わった事を示す照明用ＬＥＤ４５を点滅させる。そして数字ボタン２０のリモコンコードをＣＳデジタル放送選局用コードに設定しその情報をＥＥＰＲＯＭ４８に記憶して、ＣＳデジタル放送選択ボタン４のリモコンコードを送信する。この時点で受信機はＣＳデジタル放送で最後に受像したチャンネルに切り換える。
【００２４】
以上に示したように、本発明の実施の形態の構成では、放送メディアを切り替える際に、リモコン送信機３０の放送メディアを切り替えるボタンである地上アナログ放送選択ボタン１、地上デジタル放送選択ボタン２、ＢＳデジタル放送選択ボタン３、CＳデジタル放送選択ボタン４のいずれかを点滅させることで、操作者にリモコン送信機の操作対象がいずれの放送メディアになっているのかを示せるので、操作者の操作向上を図ることができるものである。
【００２５】
尚、照明手段の構成は本実施の形態例に限るものではなく、リモコン送信機の操作部分に位置するものでもよく、また対応する放送メディア切換用のボタンに隣接させた構成であっても、その操作性に本実施の形態の構成のものと同様な効果を奏するものである。
【００２６】
（実施の形態２）
次に本発明の他の実施の形態例を示す。図７は数字ボタン２０を押した際の動作のフローチャートを示している。
【００２７】
まず、操作者はリモコン送信機３０の数字ボタン２０のいずれかを押した際に、リモコン送信機３０は、どの放送メディアに対する操作がなされているかをＥＥＰＲＯＭ４８より読み出す。そしてＥＥＰＲＯＭ４８に記憶されている対象となる放送メディアに対応する選択ボタン、すなわち、図１の地上アナログ放送選択ボタン１、地上デジタル放送選択ボタン２、ＢＳデジタル放送選択ボタン３、CＳデジタル放送選択ボタン４のいずれかの照明手段を点滅させる。例えば、リモコン送信機３０が、前回の操作でＣＳデジタル放送の放送目メディアの番組を選択していた場合に、そのことが記憶されているため、リモコン送信機３０ではＣＳデジタル放送を選局していることを示すCＳデジタル放送選択ボタン４に対応する照明用ＬＥＤ４５を点滅させるとともに、ＢＳデジタル放送選局用の数字ボタンコードを送信する。
【００２８】
放送メディア切換ボタン１０のうちのいずれのボタンも押さないで数字ボタン２０のいずれかを押した場合は、最後にどの放送メディアに対して操作したかをＥＥＰＲＯＭ４８より読み出し、その放送メディアに対応した放送メディア切り換えボタンの照明用ＬＥＤを点滅させ、その放送メディアに対応した数字ボタン２０のリモコンコードを送信する。
【００２９】
以上のように本実施の形態では、リモコン送信機が先回の操作の対象であった放送メディアを記憶しているので、数字ボタンを押しただけで、その放送メディアの対応する照明手段を点灯させることができ、操作者にリモコン送信機の操作対象を操作者に示すことができ、操作者による余計な動作を必要とせずに、リモコン送信機の操作対象の放送メディアを操作者に知らせることができ、操作者の操作向上を果たすことができるものである。
【図面の簡単な説明】
【００３０】
【図１】本発明の一実施例であるモコン送信機の操作箇所を示した図
【図２】同リモコン送信機のハード構成を示すブロック図
【図３】同リモコン送信機による第１の地上アナログ放送選択ボタンによる動作をフローチャートで記した図
【図４】同リモコン送信機による第２の地上アナログ放送選択ボタンによる動作をフローチャートで記した図
【図５】同リモコン送信機によるＢＳデジタル放送選択ボタンによる動作をフローチャートで記した図
【図６】同リモコン送信機によるＣＳデジタル放送選択ボタンによる動作をフローチャートで記した図
【図７】同リモコン送信機の数字ボタンを押した時の動作のフローチャート
【符号の説明】
【００３１】
１    地上アナログ放送選択ボタン
２    地上デジタル放送選択ボタン
３    ＢＳデジタル放送選択ボタン
４    ＣＳデジタル放送選択ボタン
１０    照明付き放送メディア切換ボタン
２０    数字ボタン
３０    リモコン送信機
４１    赤外ＬＥＤ
４２    地上アナログ放送選択ボタン照明用ＬＥＤ
４３    地上デジタル放送選択ボタン照明用ＬＥＤ
４４    ＢＳデジタル放送選択ボタン照明用ＬＥＤ
４５    ＣＳデジタル放送選択ボタン照明用ＬＥＤ
４６    操作ボタン
４７    マイコン
４８    ＥＥＰＲＯＭ
【図１】
2005039716.tif 000003
【図２】
2005039716.tif 000004
【図３】
2005039716.tif 000005
【図４】
2005039716.tif 000006
【図５】
2005039716.tif 000007
【図６】
2005039716.tif 000008
【図７】
2005039716.tif 000009